(57)【要約】      （修正有）【課題】手すりがバイクフレームに対して揺動可能な折り畳み式のフィットネスバイクを提供する。【解決手段】フィットネスバイクは、交錯して枢接するメインバイクフレーム１及びサブバイクフレーム２を含み、メインバイクフレームの底部には漕ぐ動作により駆動可能な回転機構１２が設けられ、頂部にはサドル１１が設けられ、サブバイクフレームの頂端には枢接部２４が設けられ、手すり３を枢接する。メインバイクフレームには第一定位装置が設けられ、その一端をサブバイクフレームに固定することにより、メインバイクフレームとサブバイクフレームを固定し、サブバイクフレームには第二定位装置が設けられ、その一端を手すりに固定することにより、サブバイクフレームと手すりを固定する。サブバイクフレームと手すりとの間には抗力装置４が設けられ、手すりのサブバイクフレームに対する揺動により長さを変更し、手すりの揺動に対抗する抗力を発生させる。【選択図】図１
0003211798.tif 000002
【実用新案登録請求の範囲】
【請求項１】
メインバイクフレームと、サブバイクフレームと、手すりおよび抗力装置を含む折り畳み式のフィットネスバイクであって、
前記メインバイクフレームの底部には、漕ぐ動作により駆動可能な回転機構が設けられ、且つ頂部には、サドルが設けられ、
前記サブバイクフレームと前記メインバイクフレームは交錯して枢接し、前記メインバイクフレームには第一定位装置が設けられ、その一端を前記サブバイクフレームに固定することにより、前記メインバイクフレームと前記サブバイクフレームを固定し、前記サブバイクフレームの頂端には枢接部が設けられ、
前記手すりの底端が前記サブバイクフレームの枢接部に枢設されて前記サブバイクフレームに対して揺動し、前記サブバイクフレームに第二定位装置が設けられ、その一端を前記手すりに固定することにより、前記サブバイクフレームと前記手すりとを固定することで、前記手すりの揺動を制限し
前記抗力装置の一端は前記サブバイクフレームに接続され、他端は前記手すりに接続され、前記抗力装置は、前記手すりの前記サブバイクフレームに対する揺れ動きにより長さを変更し、前記手すりの揺動に対抗する抗力を発生させることを特徴とするフィットネスバイク。
【請求項２】
前記第一定位装置は、前記メインバイクフレームに枢接する連結棒及び前記サブバイクフレームに固定される定位ソケットを含み、前記連結棒は前記定位ソケットの内に挿設され、前記連結棒には多数の定位孔が設けられ、前記定位ソケットには挿入孔が設けられ、挿入棒を挿入して定位するように、前記連結棒のいずれの定位孔は前記挿入孔に対応することを特徴とする請求項１に記載のフィットネスバイク。
【請求項３】
前記サブバイクフレームには前記抗力装置を接続する第一接続座が設けられ、且つ前記手すりには前記抗力装置を接続する第二接続座が設けられ、前記第一接続座または前記第二接続座には前記抗力装置を接続する多数の接続口が設けられて、前記抗力装置の相違する接続位置の組み合わせに相違する最初の抗力を提供することを特徴とする請求項１に記載のフィットネスバイク。
【請求項４】
前記抗力装置は油圧シリンダーであることを特徴とする請求項１に記載のフィットネスバイク。
【請求項５】
前記抗力装置は調整可能な減衰器であることを特徴とする請求項１に記載のフィットネスバイク。
【請求項６】
前記サブバイクフレームの頂端及び底端にそれぞれ前記メインバイクフレームに向いて折り曲げる折り曲げ部を有する特徴とする請求項１に記載のフィットネスバイク。
【考案の詳細な説明】
【技術領域】
【０００１】
本考案は、フィットネス器材に関し、特にフィットネスバイクの構造に関する。
【背景技術】
【０００２】
現代人は生活が忙しいため、運動をする時間が不十分であり、室内に設置されたフィットネス器材、例えば、フィットネスバイク等は、余裕時間に便利に使用することができ、注目されている。しかし、通常のフィットネス器材は、体積が膨大なため、室内での収納性は、悩ましい問題である。
【０００３】
収納の利便性を考えると、業界内では、使用完了後に折り畳んで収納空間を減縮する、折り畳み可能なフィットネスバイクを開発した。従来のフィットネスバイクは、使用者が両足でペダルを漕ぐ動作を繰り返すことで、運動訓練効果を達成するが、使用者の下肢のみをトレーニングすることができるものの、他の部位はトレーニングできず、運動の全面性に不足があった。
【考案の概要】
【考案が解決しようとする課題】
【０００４】
本考案は、手すりがバイクフレームに対して揺動可能な折り畳み式のフィットネスバイクを提供することを目的とし、使用者がペダルを漕ぐと同時に腕により前後に手すりをプッシュプルすることで、上肢をトレーニングするという更なる効果を達成することができる。
【図面の簡単な説明】
【０００５】
【図１】本考案の立体的構造を示す斜視図である。
【図２】本考案の立体的構造の分解図である。
【図３】本考案の折り畳み状態を示す図である。
【図４】本考案の抗力装置の他の実施例を示す図である。
【図５】本考案の使用状態を示す図である。
【図６】本考案の使用状態を示す図である。
【考案を実施するための形態】
【実施例】
【０００６】
図１、図２は、本考案の折り畳み式のフィットネスバイクであり、交錯して枢接するメインバイクフレーム１及びサブバイクフレーム２を含み、前記サブバイクフレーム２は二つの間隔をもって設置された棒部材２１を有し、前記メインバイクフレーム１は、二つの棒部材２１の間を貫通する。前記メインバイクフレーム１の頂部にはサドル１１が設けられ、且つ底部には漕ぐ動作により駆動可能な回転機構１２が設けられるが、これらは周知技術を用いるため、説明を省略する。また、前記回転機構１２は、更なる抗力を提供する装置を介して回転の難度を増加することで、使用者の漕ぐ時のトレーニング効果を高めることができる。
【０００７】
次に、前記メインバイクフレーム１には、第一定位装置が設けられ、その一端を前記サブバイクフレーム２に固定することで、前記メインバイクフレーム１と前記サブバイクフレーム２とを展開後に固定することができる。本実施例では、前記第一定位装置は、連結棒１３及び定位ソケット２２を含み、前記連結棒１３の一端が前記メインバイクフレーム１に枢接され、且つ前記定位ソケット２２は前記サブバイクフレーム２に固定され、前記連結棒１３は前記定位ソケット２２の内に挿設される。前記連結棒１３に沿って多数の定位孔１３１が設けられ、且つ前記定位ソケット２２には第一挿入孔２２１が設けられ、前記メインバイクフレーム１と前記サブバイクフレーム２との展開角度が異なるに伴って、前記連結棒１３の前記定位ソケット２２への挿入位置も変化し、前記連結棒１３の定位孔を前記第一挿入孔２２１に対応させ、第一挿入棒２２２を前記定位孔及び前記第一挿入孔２２１に同時に貫通させることで、前記メインバイクフレーム１と前記サブバイクフレーム２と固定することができる。
【０００８】
これにより、前記第一挿入棒２２２を抜け出すと、前記メインバイクフレーム１と前記サブバイクフレーム２が相対的に揺れ動き、図３に示すような合わせた状態を形成し、全体に占める空間を減少させることができ、収納しやすくなる。本実施例では、前記サブバイクフレーム２の頂端及び底端に、それぞれ前記メインバイクフレーム１に向けて折り曲げられた折り曲げ部２３を有することで、両方をさらに近く合わせることができ、全体的に占める空間を最大に減少する。
【０００９】
一方、前記サブバイクフレーム２の頂端には、枢接部２４が設けられ、且つ手すり３の底端は、前記サブバイクフレーム２に対して揺動可能に前記枢接部２４に枢設される。さらに、前記サブバイクフレーム２には、前記手すり３の揺動範囲を制限する限位部材２５が設けられる。前記サブバイクフレーム２には、第二定位装置が設けられ、その一端を前記手すり３に固定することで、前記サブバイクフレーム２と前記手すり３とを固定することができ、前記手すり３の揺動を制限する。本実施例では、前記サブバイクフレーム２と前記手すり３は、両方の枢接点以外のお互いに対応する位置に、それぞれ第二挿入孔２６、３１が設けられ、両方の第二挿入孔２６、３１を位置合わせた時に第二挿入棒２７を挿入することで、前記手すり３を固定することができる。
【００１０】
また、前記手すり３は、抗力装置４を介して揺動の抗力を増大する。本実施例では、前記抗力装置４は油圧シリンダーであり、その一端は前記サブバイクフレーム２に接続され、他端は前記手すり３に接続され、且つ前記手すり３の前記サブバイクフレーム２対する揺動により長さを変更することができ、前記手すり３の揺動に対抗する抗力を発生させる。更に、前記サブバイクフレーム２には、第一接続座２８が設けられ、前記手すり３には、第二接続座３２が設けられ、前記第一接続座２８または前記第二接続座３２には、多数の前記抗力装置４を接続するための接続口が設けられ、本実施例では、前記第一接続座２８には、一つの接続口２８１が設けられ、前記第二接続座３２には、三つの接続口３２１が設けられ、前記抗力装置４の一端は前記第一接続座２８の接続口２８１に接続され、他端は前記第二接続座３２の三つの接続口３２１から選ばれる一つの接続口に接続される。接続口の選択の相違により、前記抗力装置４の原始長さも異なり、前記手すり３に提供する最初の抗力も変わり、使用者の需要に応じて選択することができる。
【００１１】
装置４の他の実施例は図４に示す。前記第一接続座２８及び前記第二接続座３２にはそれぞれ一つの接続口２８１、３２１が設けられ、且つ前記抗力装置４の両端はそれぞれ接続口２８１、３２１に接続される。前記抗力装置４は、調整可能な減衰器であり、前記抗力装置４には調整ヘッド４１が設けられ、前記調整ヘッド４１を回転させることで、前記手すりに提供する最初の抗力を調整することができる。
【００１２】
上述した構造により、本考案に使用してトレーニングをする時に、使用者は前記サドル１１に座り、両足で前記回転機構１２を漕ぐ動作を繰り返して下肢部位の訓練効果を達成するとともに、図５に示すように前記手すり３を後に向いてプルし、図６に示すように前記手すり３を前に向いてプッシュすることにより、前記手すり３が前記サブバイクフレーム２に対して揺動させることで、使用者の腕及び背部筋肉群を同時に訓練することができる。上述した上肢部位の動作と上述した両足を漕ぐ動作の呼応により、使用者に全身的な運動訓練効果を与え、本考案の実用性を高める。
【符号の説明】
【００１３】
メインバイクフレーム１ サドル１１
回転機構１２ 連結棒１３
定位孔１３１ サブバイクフレーム２
棒部材２１ 定位ソケット２２
第一挿入孔２２１ 第一挿入棒２２２
折り曲げ部２３ 枢接部２４
限位部材２５ 第二挿入孔２６、３１
第二挿入棒２７ 第一接続座２８
接続口２８１ 手すり３
第二接続座３２ 接続口３２１
抗力装置４ 調整ヘッド４１
【図１】
0003211798.tif 000003
【図２】
0003211798.tif 000004
【図３】
0003211798.tif 000005
【図４】
0003211798.tif 000006
【図５】
0003211798.tif 000007
【図６】
0003211798.tif 000008